(57)【要約】【課題】シーク動作音或いはスピンドルモータの回転数変化音等のドライブ動作音を極力目立たないようにすることが可能な情報記録再生装置を提供する。【解決手段】マイクロホン１５からの音声信号レベルを検出する検出手段を有し、撮影時に音声信号レベルが予め設定されたレベル以上検出された場合、バッファメモリ２６の画像及び音声データを光ディスク９に記録する。またバッファメモリ２６に予め設定された第２閾値以上のデータが蓄積された場合、バッファメモリ２６の画像及び音声データを光ディスク９に記録する。【選択図】図３
2008123615.tif 000002
【特許請求の範囲】
【請求項１】
撮像手段と、音声入力手段と、前記撮像手段により撮像された画像データ及び前記音声入力手段により入力された音声データを一時記憶するバッファメモリとを有する情報記録再生装置において、前記音声入力手段からの音声信号レベルを検出する検出手段を有し、撮影時に前記検出手段により音声信号レベルが予め設定されたレベル以上検出された場合、前記バッファメモリの画像及び音声データを情報記録媒体に記録することを特徴とする情報記録再生装置。
【請求項２】
前記バッファメモリに予め設定された閾値以上のデータが蓄積された場合、前記バッファメモリの画像及び音声データを前記情報記録媒体に記録することを特徴とする請求項１に記載の情報記録再生装置。
【請求項３】
前記情報記録媒体の周辺温度を検出する温度検出手段を有し、撮影時に前記温度検出手段により予め設定された温度変化量以上の温度変化が検出され、且つ、前記音声信号レベルを検出する検出手段により音声信号レベルが予め設定されたレベル以上検出された場合、学習動作を実行することを特徴とする請求項１又は２に記載の情報記録再生装置。
【発明の詳細な説明】
【技術分野】
【０００１】
本発明は、画像及び音声データを光ディスク等の情報記録媒体に記録又は再生する情報記録再生装置に関するものである。
【背景技術】
【０００２】
従来、撮像素子を有する画像入力手段や音声入力手段と、ディスク記録媒体に画像や音声情報等を記録再生する情報記録再生装置とが一体となったカメラ一体型ディスク記録再生装置がある。
【０００３】
ディスク記録媒体を内蔵したディスク記録再生装置を使用する場合の一般的な動作シーケンスを説明する。通常、記録開始ボタンを操作するのと同時にスピンドルモータを起動してディスクを回転させ、記録開始位置にヘッド移動を行い、その後、実際の画像、音声データの記録開始を行う。それまでには数秒の時間が必要である為、貴重な残しておきたい記録画像、音声を逃す可能性がある。
【０００４】
そこで特許文献１には記録開始した瞬間から画像、音声記録を開始し、それを一時的に記憶手段に蓄積し、記録準備が出来た後に一旦蓄積した記録データをディスクに記録する方法が開示されている。また、特許文献２には撮影中のデータは全てバッファメモリ等の記憶手段に記憶させておき、撮影終了後にバッファメモリからディスクに記録する方法が開示されている。
【０００５】
更に、従来の情報記録再生装置においては装置内の温度が所定温度以上変化した場合には、ディスクのテスト領域までヘッドを移動させて学習動作を行う方法がある。学習動作は最適な記録レーザパワー等の記録条件を決定するためのものであり、ディスクの周辺温度が所定温度以上の温度変化があった時にはパラメータを変えて記録或いは再生を行うものである。
【特許文献１】特開平１１−４４１０号公報
【特許文献２】特開２００１−３５７５９９号公報
【発明の開示】
【発明が解決しようとする課題】
【０００６】
特許文献１のものでは、装置が立ち上がるスピンドル起動音、或いは光学ヘッドを目的のアドレス位置に移動するシーク動作の音が記録され、騒音になる問題がある。特に、上述のように学習動作を実行するためのテスト領域は、ディスクの内周側にあるため、学習動作時の内周側に光学ヘッドを移動するシーク動作の音やスピンドルの回転変化音が記録され、騒音になる。
【０００７】
そこで、特許文献２には、音声情報を入力している間、サーボ動作を実行させないことが記載されているが、動画と音声を撮影中にバッファメモリ内に貯まったデータをディスクに記録する間欠動作を前提とするものではない。またデータ量が大きくなるとバッファメモリの容量が大きくなってしまう。
【０００８】
本発明の目的は、簡単な方法でシーク動作音或いはスピンドルモータの回転数変化音等のドライブ動作音を極力目立たないようにすることが可能な情報記録再生装置を提供することを目的とする。
【課題を解決するための手段】
【０００９】
本発明は、音声入力手段からの音声信号レベルを検出する検出手段を有し、撮影時に検出手段により音声信号レベルが予め設定されたレベル以上検出された場合には、バッファメモリの画像及び音声データを情報記録媒体に記録する。また、バッファメモリに予め設定された閾値以上のデータが蓄積された場合、バッファメモリの画像及び音声データを情報記録媒体に記録する。
【発明の効果】
【００１０】
本発明によれば、撮影中の音声入力が大きい時に光ディスクへの記録動作を実行するため、光学ヘッドが目的位置まで移動するシーク動作音やスピンドルモータが目的の回転数に達するまでの回転数変化音等のドライブ動作音を極力目立たないようにできる。また、撮影中の音声入力が大きい時に学習処理を実行するため、同様にドライブ動作音を極力目立たないようにできる。
【発明を実施するための最良の形態】
【００１１】
次に、発明を実施するための最良の形態について図面を参照して詳細に説明する。図１は本発明に係る情報記録再生装置の一実施形態の構成を示すブロック図である。図中１１は撮像系としてレンズ等の光学部品を有するカメラ部、１２は撮像素子であるＣＣＤイメージャである。
【００１２】
ＣＣＤイメージャ１２の撮像面に結像した像光は、ＣＣＤイメージャ１２で電気的な撮像信号に変換され、ＣＣＤイメージャ１２で得られた撮像信号はゲイン制御Ａ／Ｄ変換器１３に送られる。ゲイン制御Ａ／Ｄ変換器１３はゲイン調整、デジタル変換等の処理を行い、得られた画像データは信号処理手段１４に供給される。
【００１３】
１５は音声を入力するマイクロホンである。マイクロホン１５からの音声信号はマイクアンプ１６を介してＡ／Ｄ変換器１７に供給され、デジタル音声データとして信号処理手段１４に供給される。
【００１４】
信号処理回路１４は、画像データ及び音声データを記録データにするためにエンコード／デコード処理、変復調、ＥＣＣ付加、或いは情報記録媒体である光ディスク９へ記録するための記録フォーマットへの変換を行う。２６は記録データを一時記憶するバッファメモリ、２８は記録データを光ディスク９に記録するための記録再生手段（再生に関しては後述する）である。
【００１５】
２７は光ディスク９に画像や音声等を記録或いは再生する光学ヘッドである。光学ヘッド２７は所定のパワーの光ビームを出力する発光素子（半導体レーザ）２４、光ディスク９からの反射光を検出する受光素子（フォトダイオード）２５を含んでいる。また、ハーフミラー、コリメータレンズ、対物レンズ及び対物レンズをディスク面に垂直の方向、半径方向に駆動することにより光ビームのフォーカス及びトラッキングを制御するアクチュエータ２３等から構成されている。
【００１６】
記録再生手段２８からの信号は光学ヘッド２７の半導体レーザ２４を駆動することにより光ディスク９に記録される。サーボ制御手段１８は光記録に必要なサーボ制御、例えば、光学ヘッド２７のアクチェータ２３の制御によるフォーカスやトラッキング制御、スピンドルモータ１９を制御する光ディスク９の回転制御を行う。また、光ディスク９上の半径方向のアドレス位置に光学ヘッド２７を位置付けするためのラック、ピニオン２１とシークモータ２２によるシーク制御等を行う。
【００１７】
フォーカスやトラッキング制御は光学ヘッド２７のフォーカスやトラッキングの位置ズレを示すフォーカスエラー信号やトラッキングエラー信号を検出し、それらの信号に基づいて行う。シーク制御は光ディスク９上のアドレス信号等により光ディスク９上の位置を検出し、その検出位置に応じて制御を行う。これらの制御や管理はシステム制御手段２０である制御マイコンで行う。
【００１８】
次に、光ディスク９の記録情報を再生する場合には、光ディスク９に書かれた情報がディスク面からの反射光量差として光学ヘッド２７で読み取られる。光学ヘッド２７からの信号は記録再生手段２８を介して信号処理手段１４に供給され、元の画像データ等に変換される。このデータはＬＣＤ等の図示しない画像表示手段に表示される。これらの制御、管理もシステム制御手段２０で行う。
【００１９】
光ディスク９には内周側から順番に装置のサーボ条件、記録条件を決めるために使用するテスト領域、その外周側に光ディスク上に記録されたユーザデータを管理する管理情報領域、その外周側にユーザデータ記録領域が配置されている。ユーザデータ及び管理情報は信号処理手段１４により作成され、記録再生手段２８で記録信号に変換して光ディスク９に記録される。記録位置管理はシステム制御手段２０で行い、サーボ条件、記録条件を決めるためのシステム制御もシステム制御手段２０で行う。
【００２０】
次に、マイクアンプ１６及びＡ／Ｄ変換器１７の構成について説明する。一般的に、音声入力手段を有する情報記録再生装置には、入力音声を所定の音声信号レベルで録音可能とするため、音声記録に際して記録段の前段に備えられたアンプのゲインを入力音声信号のレベルに応じて自動調整する回路が備えられている。
【００２１】
このような回路として、例えば、図２に示すようにプログラマブルゲインアンプ（以下ＰＧＡ）を用いたデジタル検波方式の自動レベル調整回路（以下、ＡＬＣ回路という）がある。本実施形態では、図２のＡＬＣ回路は図１のマイクアンプ１６とＡ／Ｄ変換器１７を合わせた回路とする。
【００２２】
図２のＡＬＣ回路は、まず、ＰＧＡ１０の後段のＡ／Ｄ変換器１７にてＰＧＡ１０で増幅された入力音声信号がＡ／Ｄ変換される。次に、レベル検出部８にてこのデジタル信号のレベル（ＰＧＡ１０の出力の信号レベル）が検出され、ゲインコントロール部７はこの検出レベルと所定の基準レベルとを比較する。
【００２３】
その比較結果に基づいてゲインコントロール部７からＰＧＡ１０に制御信号が出力され、その制御信号に応じてＰＧＡ１０からの出力音声信号が所定の音声信号レベルとなるようにＰＧＡ１０のゲインが調整される。
【００２４】
具体的には、レベル検出部８にて検出されたデジタル信号のレベルが所定の基準レベルより大きい場合には、ＰＧＡ１０のアンプゲインを１ステップずつ段階的に下げる動作（アタック動作）を行う。デジタル出力信号レベルが所定の基準レベルより小さい場合には、ＰＧＡ１０を１ステップずつ段階的に上げる動作（リカバリー動作）を行う。
【００２５】
このようなアタック動作及びリカバリー動作によるゲインの調整を、デジタル信号レベルが所定の基準レベルとなるまで連続して行うことにより、アンプのゲインを入力音声信号レベルで録音できるようになる。よって、ゲインコントロール部７からＰＧＡ１０に出力する制御信号レベルから、マイクロホン１５に入力される音声信号レベルが判定でき、システム制御手段２０はその音声信号レベルを監視する。
【００２６】
次に、図３のフローチャートを用いて本実施形態の動作を説明する。まず、図示しない撮影開始ボタンが押下されると、システム制御手段２０は撮影をスタートさせ、入力されたデータがバッファメモリ２６に蓄積される。バッファメモリ２６には第１閾値が設定され、バッファメモリ２６内のデータ蓄積量が第１閾値を超えると、バッファメモリ２６内のデータを光ディスク９に記録する制御を行う。
【００２７】
更に、バッファメモリ２６にはマイクロホン１５から所定レベル以上の音声入力があった場合、光ディスク９への記録動作を頻繁に行わないための第２閾値が設定されている（バッファメモリのデータが少ない時に記録することを防止する）。Ｓ３０１において撮影中にバッファメモリ２６内のデータ蓄積量が第２閾値以上か否かを判定し、第２閾値以上の時にはＳ３０２に進む。
【００２８】
Ｓ３０２ではマイクロホン１５から入力される音声信号レベルが所定レベル以上か否かをレベル検出部８により検出する。所定レベル以上の音声を検出した場合には、Ｓ３０４でバッファメモリ２６に蓄積されたデータを光ディスク９に記録する。Ｓ３０２で所定レベル以上の音声信号を検出できなかった場合には、Ｓ３０３に進み、データ蓄積量が第１閾値以上か否かを判定する。
【００２９】
第１閾値以上であれば、Ｓ３０４でバッファメモリ２６に蓄積されたデータを光ディスク９に記録する。Ｓ３０３で第１閾値以下の場合には、Ｓ３０２に進み、所定レベル以上の音声が入力されるのを待つ。待っても所定レベル以上の音声入力がなければ、Ｓ３０３でデータ蓄積量が第１閾値以上の時にバッファメモリ２６内のデータを光ディスク９に記録する。
【００３０】
図３のフローチャートに沿った記録制御の一例を図４に示す。図４（ａ）はマイクロホン１５に入力される音声入力レベルを示す図であり、マイクロホン１５から入力された音声信号レベルをゲインコントロール部７からＰＧＡ１０に出力する制御信号レベルから基準となる所定入力音声レベルを設定する。所定入力音声レベルはシーク音や回転数変更時の騒音よりも大きいレベルに設定する。
【００３１】
図４（ｂ）は撮影中にバッファメモリ２６に蓄積されるデータ蓄積量と記録処理の関係を示す。図中に第１閾値と第２閾値を示す。撮影中は画像データや音声データがバッファメモリ２６に蓄積されていく。データ蓄積量が第１閾値レベル以上になると記録動作を実行し、バッファメモリ２６内の蓄積データを光ディスク９に記録する。
【００３２】
即ち、バッファメモリ２６のデータ蓄積量が第１閾値以上になると、スピンドルモータ１９を起動させ、光学ヘッド２７を目的のアドレス位置にシークしてバッファメモリ２６のデータを光ディスク９に記録する。また、マイクロホン１５からの音声入力レベルが所定レベル以上の時にバッファメモリ２６のデータ蓄積量が第２閾値以上であれば、光ディスク９にデータを記録する。
【００３３】
本実施形態では、撮影時にバッファメモリ２６のデータ蓄積量が第２閾値を超えており、マイクロホン１５から所定レベル以上の音声入力が継続した場合には、光ディスク９への記録を行う。このように音声入力レベルが大きく、且つ、データ量が第２閾値を超えた時に光ディスクにデータを記録する。そのため、光ディスクへの記録を頻繁に行わず、また、シーク動作音やスピンドルモータ１９が目的の回転数まで到達する回転変化音等のドライブ動作音が目立たなくなる。
【００３４】
以上がバッファメモリ２６内の画像データ及び音声データを光ディスク９に記録する記録制御動作の説明である。
【００３５】
次に、ディスク管理情報を光ディスク９に記録する動作について説明する。通常、カメラ一体型ディスク記録再生装置では、撮影を停止すると、画像データ及び音声データを光ディスク９へ記録した後にディスク管理情報を光ディスク９の所定管理情報エリアに記録している。
【００３６】
撮影停止前に装置のバッテリが外れる等の瞬断が生じた場合には、記録データが再生出来なくなるため、撮影中に管理情報の更新を行う。管理領域エリアは光ディスク９の内周側にあり、内周側に光学ヘッド２７を移動させるシーク動作の音やスピンドルモータ１９の回転変化音が記録され、騒音になる。そのため、管理情報を更新するタイミングは所定レベル以上の音声入力があった時に管理情報の記録を行うのが望ましい。
【００３７】
本実施形態では、バッファメモリ２６に所定量以上のデータが蓄積され、且つ、所定レベル以上の音声入力があった場合に、バッファメモリ２６内のデータの光ディスクへの記録動作を実行する。或いは所定レベル以上の音声入力があった場合、光ディスクへの管理情報の記録動作を実行することで、シーク音やスピンドル回転数変化音等の騒音を低減した記録が実現できる。
【００３８】
次に、本発明の第２の実施形態について説明する。図５は本実施形態の記録動作を示すフローチャートである。本実施形態では、装置内に図示しない温度センサを設け、温度変化が所定温度変化量以上であって、所定レベル以上の音声入力が検出された時にシステム制御手段２０の制御により最適な記録レーザパワー等の記録条件を決定するための学習動作を実行する。
【００３９】
なお、本実施形態の装置構成は図１と同様であり、上述のように光ディスク９の周辺に温度センサが配置されている。また、マイクロホン１５からの音声入力レベルの検出方法は図１と同様である。
【００４０】
図５において、まず、図示しない撮影開始ボタンが押下されると、システム制御手段２０は撮影をスタートさせ、入力データをバッファメモリ２６に蓄積し、所定量以上のデータが蓄積されると、バッファメモリ２６のデータを光ディスク９に記録する。所定量以上のデータが蓄積されるまでは、サーボ動作を停止させる、間欠動作によりデータを光ディスクに記録する。
【００４１】
学習動作は間欠動作の停止時の時間を使って行う処理である。まず、Ｓ５０１では、例えば、光学ヘッド２７内に設けた温度センサにより光ディスク９の周辺温度を検出し、予め定めた所定温度変化量以上の温度変化が発生しているか否かを判定する。Ｓ５０１で光ディスク９の周辺温度の温度変化が所定温度変化量以上の時はＳ５０２に進む。Ｓ５０２では上述のようにマイクロホン１５に入力される音声が所定レベル以上か否かを、音声レベル検出部８により検出する。
【００４２】
Ｓ５０２で所定レベル以上の音声を検出した場合には、Ｓ５０４で最適記録レーザパワー等を決定するための学習処理を実行する。これにより、マイクロホン１５からの音声入力が大きい時に学習動作を実行するため、同様に学習動作の際に生じるシーク動作音やスピンドルモータの回転数変化音等のドライブ音が目立たなくなる。
【００４３】
学習処理は、一般的には光ディスクの内周側にある所定テスト領域に光学ヘッドをシークさせて学習処理を実行する。ディスク記録媒体がＲＷディスク等の書き換え可能な記録媒体の場合には、記録済みデータの消去が可能なため、ユーザデータ領域の未記録領域で学習処理を実行しても良い。
【００４４】
Ｓ５０２で所定レベル以上の音声を検出できなかった場合には、Ｓ５０３に進む。Ｓ５０３では経過時間が予め設定された所定時間以上になると、同様にＳ５０４に進んで学習処理を実行する。
【００４５】
本実施形態では、所定温度変化量以上の温度変化があり、且つ、所定レベル以上の音声入力があった場合、最適記録レーザパワーを決定する等の学習処理を実行する。そのため、シーク動作音やスピンドルモータ回転数変化音等のドライブ音を目立たなくすることができる。
【図面の簡単な説明】
【００４６】
【図１】本発明に係る情報記録再生装置の一実施形態を示すシステムブロック図である。
【図２】自動レベル調整回路を示すブロック図である。
【図３】本発明に係る記録処理を示すフローチャートである。
【図４】本発明の記録制御の一例を説明する図である。
【図５】本発明に係る学習処理を示すフローチャートである。
【符号の説明】
【００４７】
７  ゲインコントロール部
８  レベル検出部
９  光ディスク
１０  プログラマブルゲインアンプ（ＰＧＡ）
１１  カメラ部
１２  ＣＣＤイメージャ
１３  ゲイン制御Ａ／Ｄ変換器
１４  信号処理手段
１５  マイクロホン
１６  マイクアンプ
１７  Ａ／Ｄ変換器
１８  サーボ制御手段
１９  スピンドルモータ
２０システム制御手段
２１  ラック、ピニオン
２２  シークモータ
２３  アクチュエータ
２４  発光素子
２５  受光素子
２６  バッファメモリ
２７  光学ヘッド
２８  記録再生手段
【図１】
2008123615.tif 000003
【図２】
2008123615.tif 000004
【図３】
2008123615.tif 000005
【図４】
2008123615.tif 000006
【図５】
2008123615.tif 000007